【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
組織アンカーシステム（１０）を含む装置であって、前記組織アンカーシステム（１０）は、
トルク伝達ツール（２０）を有し、該トルク伝達ツールは、（ａ）遠位トルク伝達ヘッド（３０）を含むトルク伝達ケーブル（２８）と、（ｂ）遠位トルク伝達ヘッド（３０）の遠位端（３４）に固定された遠位結合部（３２）と、（ｃ）遠位ばねデプレッサ（３６）とを有し、
テザー（２２）を有し、かつ、
組織アンカー（２４）を有し、該組織アンカーは、（ａ）組織結合部（５０）および（ｂ）アンカーヘッド（５２）を有し、
（ｉ）該組織アンカーは、前記組織結合部（５０）の近位部（５４）に取り付けられ、かつ、
（ｉｉ）該組織アンカーは、
軸方向不動シャフト（５６）を有し、該軸方向不動シャフトは、（ａ）前記組織結合部（５０）の前記近位部（５４）に対して軸方向に固定された遠位部（５８）を有し、かつ、（ｂ）近位結合部（６２）を含む近位端（６０）を有し、前記遠位結合部（３２）および前記近位結合部（６２）は、対応するインターロック面を形成する形状に形成されており、
ばね（７０）を有し、
外側テザー固定部（８０）を有し、
（ａ）該外側テザー固定部（８０）は、横開口部（８２）を形成する形状に形成され、該横開口部を通して前記テザー（２２）が配置され、かつ、
（ｂ）該外側テザー固定部（８０）は、少なくとも部分的に径方向に、前記軸方向不動シャフト（５６）および前記ばね（７０）を取り囲んでおり、
前記組織アンカーシステム（１０）は、
ロック解除状態になるように構成されており、該ロック解除状態では、（ａ）前記遠位結合部（３２）および前記近位結合部（６２）が互いにかみ合うように結合され、かつ、（ｂ）前記遠位ばねデプレッサ（３６）が前記ばね（７０）を軸方向に圧縮された状態に抑制し、その状態で前記ばね（７０）が前記テザー（２２）の前記横開口部（８２）を通した摺動を阻止せず、かつ、
ロック状態になるように構成されており、該ロック状態では、（ａ）前記遠位結合部（３２）および前記近位結合部（６２）が互いに結合されておらず、（ｂ）前記遠位ばねデプレッサ（３６）が前記ばね（７０）を前記軸方向に圧縮された状態に抑制しておらず、かつ、（ｃ）前記ばね（７０）が軸方向に拡張した状態であり、その状態で前記ばね（７０）が前記テザー（２２）を前記外側テザー固定部（８０）に対して押圧することにより前記横開口部（８２）を通した前記テザー（２２）の前記摺動を阻止する、
前記装置。
【請求項２】
前記ばね（７０）の少なくとも一部は、径方向に前記軸方向不動シャフト（５６）を取り囲んでいる、請求項１に記載の装置。
【請求項３】
前記組織アンカーシステム（１０）がロック状態である場合、前記ばね（７０）は、前記テザー（２２）を、前記外側テザー固定部（８０）の前記横開口部（８２）の周囲に対して押圧することにより、前記横開口部（８２）を通した前記テザー（２２）の前記摺動を阻止する、請求項１に記載の装置。
【請求項４】
前記組織アンカーシステム（１０）はさらにロックワイヤ（１１０）を含み、
前記遠位トルク伝達ヘッド（３０）を含む前記トルク伝達ケーブル（２８）、前記遠位結合部（３２）、前記近位結合部（６２）、および前記軸方向不動シャフト（５６）は、それらを貫通するそれぞれの導管（７２、７４、７６、７８）を形成する形状に形成され、それらの導管は互いに対して放射状にかつ前記組織アンカー（２４）と同軸に配置され、
前記組織アンカーシステム（１０）が前記ロック解除状態である場合、前記ロックワイヤ（１１０）の一部が前記導管（７２、７４、７６、７８）内に配置され、これにより前記遠位結合部（３２）および前記近位結合部（６２）同士の結合が分離されるのを阻止する、
請求項１に記載の装置。
【請求項５】
前記ロックワイヤ（１１０）が、鋭利な遠位先端（７２７）を有する、請求項４に記載の装置。
【請求項６】
前記アンカーヘッド（５２）はさらに、前記ばね（７０）の近位端（１０４）を含む前記ばね（７０）の少なくとも一部（１０２）を覆うハンマーキャップ（１００）を含み、
前記組織アンカーシステム（１０）が前記ロック状態である場合、前記ばね（７０）は、前記ハンマーキャップ（１００）を前記外側テザー固定部（８０）に対して押圧することによって、前記テザー（２２）を前記外側テザー固定部（８０）に対して押圧する、
請求項１に記載の装置。
【請求項７】
前記ハンマーキャップ（１００）が、前記ばね（７０）に固定されている、請求項６に記載の装置。
【請求項８】
前記組織アンカーシステム（１０）が前記ロック状態である場合、前記ばね（７０）は前記ハンマーキャップ（１００）を前記外側テザー固定部（８０）の前記横開口部（８２）の周囲（８４）に対して押圧する、請求項６に記載の装置。
【請求項９】
前記外側テザー固定部（８０）は前記組織結合部（５０）および前記軸方向不動シャフト（５６）に対して回動可能である、請求項１に記載の装置。
【請求項１０】
前記外側テザー固定部（８０）は部分的なシリンダの形状に形成されている、請求項１に記載の装置。
【請求項１１】
前記テザー（２２、８２２）が、可撓性であり、かつ、
前記テザー（２２、８２２）が直線状でよりのない形状に引っ張られる場合、
前記テザー（２２、８２２）は中央縦軸（８２８）を有し、第１および第２の長手方向の位置（８３２Ａ、８３２Ｂ）に、前記中央縦軸（８２８）に垂直な第１および第２の断面（８５０Ａ、８５０Ｂ）を形成する形状に形成され、
前記第１および前記第２の断面（８５０Ａ、８５０Ｂ）は、それぞれ第１および第２の線（８５２Ａ、８５２Ｂ）を形成する、第１および第２の最大寸法を有しており、
前記第１および前記第２の断面（８５０Ａ、８５０Ｂ）が前記中央縦軸（８２８）周りの回転を保ちながら、互いの上に突出させなければならない場合は、（ａ）前記第１および前記第２の線（８５２Ａ、８５２Ｂ）は、少なくとも３０度の角度で交差するようになり、（ｂ）前記第１および前記第２の断面（８５０Ａ、８５０Ｂ）は、一致しないようになる、
請求項１に記載の装置。
【請求項１２】
第１の長手方向の位置（８３２Ａ）および第２の長手方向の位置（８３２Ｂ）が、前記中央縦軸に沿って互いに１０ｍｍ以内にある、請求項１１に記載の装置。
【請求項１３】
前記角度は少なくとも６０度である、請求項１１に記載の装置。
【請求項１４】
前記第１および前記第２の最大寸法は第１および第２の最大外寸であり、
前記第１および前記第２の断面（８５０Ａ、８５０Ｂ）は、それぞれ前記第１および前記第２の最大外寸に垂直に測定した、それぞれ第１および第２の最大内寸を有しており、
前記第１および前記第２の最大内寸は、それぞれ、前記第１および前記第２の最大外寸の５０％以下である、
請求項１１に記載の装置。
【請求項１５】
前記テザー（２２、８２２）が直線状でよりのない形状に引っ張られる場合、
前記テザー（２２、８２２）は、第３の長手方向の位置（８３２Ｃ）に、前記中央縦軸（８２８）に垂直な第３の断面を形成する形状に形成され、前記第２の長手方向の位置（８３２Ｂ）は前記中央縦軸（８２８）に沿って前記第１および前記第３の長手方向の位置（８３２Ａ、８３２Ｃ）の長手方向の間であり、
前記第３の第２の断面は第３の線を形成する第３の最大寸法を有しており、
前記第２および前記第３の断面が前記中央縦軸（８２８）周りの回転を保ちながら、互いの上に突出させなければならない場合は、（ａ）前記第２および前記第３の線は少なくとも３０度の角度で交差するようになり、（ｂ）前記第２および前記第３の断面は一致しないようになる、
請求項１１に記載の装置。